(57)【特許請求の範囲】
【請求項１】
中間転写体上に転写されたトナー像を、当該中間転写体の背面側に配置された背面支持部材と、前記背面支持部材と対向して中間転写体の表面に圧接する転写部材との間に形成される転写電界によって、背面側支持部材と転写部材との転写部に搬送される記録媒体上に転写する転写装置において、
前記転写部材の背面支持部材に対する圧接幅を調整する圧接幅調整手段を設け、
前記圧接幅調整手段は、前記転写部材を前記背面支持部材に対して接離する方向に移動させるとともに、当該転写部材の両端部を個別に前記背面支持部材に対して接離する方向に移動させ、且つ前記背面支持部材を前記転写部材に対して接離する方向に移動させるとともに、当該背面支持部材の両端部を個別に前記転写部材に対して接離する方向に移動させことにより、前記転写部材の背面支持部材に対する圧接幅を調整することを特徴とする転写装置。
【請求項２】
前記圧接幅調整手段は、転写部材及び／又は背面支持部材の一端及び／又は両端の位置を調整することを特徴とする請求項１記載の転写装置。
【請求項３】
前記圧接幅調整手段は、転写部に搬送される記録媒体の種類及び／又は環境に応じて、前記転写部材の背面支持部材に対する圧接幅を調整することを特徴とする請求項１又は２記載の転写装置。
【発明の詳細な説明】
【０００１】
【発明が属する技術分野】
この発明は、中間転写体を使用した画像形成装置の転写装置において、当該転写装置の転写部における画像の傾きの調整に係わり、特に二次転写部の調整手段に関するものである。
【０００２】
【従来の技術】
従来、上記中間転写体を使用した画像形成装置においては、単一又は複数の像担持体上に単色又は色の異なる複数のトナー像を順次形成し、前記像担持体上に形成された単色又は色の異なる複数のトナー像を、ベルト状の中間転写体上に多重に順次一次転写した後、当該ベルト状の中間転写体上に多重に転写された色の異なる複数のトナー像等を、記録媒体上に一括して二次転写し、定着処理を施すことにより白黒又はカラーの画像を形成するように構成されている。
【０００３】
その際、上記中間転写体を使用した画像形成装置では、ベルト状の中間転写体上に多重に転写された色の異なる複数のトナー像等を、記録媒体上に一括して二次転写する際に、中間転写体をその内側からバックアップロールで支持するとともに、当該中間転写体の表面側に二次転写ロールを当接させ、前記バックアップロールに電圧を供給するバックアップロール方式の転写装置を採用している。
【０００４】
かかるバックアップロール方式の転写装置においては、バックアップロールの一方の端部位置を調整可能に構成し、当該バックアップロールの一方の端部位置を調整して、中間転写体のアライメントを変えることにより、二次転写部における画像の傾きを調整するようになっている。このような二次転写部における画像の傾きを調整可能とした技術としては、例えば、特開２０００−７５６８０号公報に開示されているものがある。
【０００５】
【発明が解決しようとする課題】
しかし、上記従来技術の場合には、次のような問題点を有している。すなわち、上記特開２０００−７５６８０号公報に開示された技術の場合には、バックアップロールの一方の端部位置を調整可能に構成し、当該バックアップロールの一方の端部位置を調整して、中間転写体のアライメントを変えることにより、二次転写部における画像の傾きを調整するように構成したものである。そのため、上記二次転写位置に進入する記録媒体の位置は、当該記録媒体を二次転写位置に搬送するレジストロールによって、適正な位置に規制されているのに対し、バックアップロールによって支持されるベルト状の中間転写体と二次転写ロールとのニップ状態は、バックアップロールの一方の端部位置しか調整できないため、中間転写体のアライメントを調整することができても、記録媒体の種類等が異なった場合に、バックアップロールと二次転写ロールとのニップ状態が変化してしまい、ニップ圧力が高い側の記録媒体が先行して搬送され、当該記録媒体に二次転写される画像に傾きが生じてしまうという問題点を有していた。
【０００６】
そこで、この発明は、上記従来技術の問題点を解決するためになされたものであり、その目的とするところは、中間転写体を使用した画像形成装置において、転写部での画像の傾きを調整する際、従来調整しきれない部分を補い、調整幅を大きくとることができ、記録媒体の種類が異なった場合でも、常に画像の傾きを調整することが可能な転写装置を提供することにある。
【０００７】
【課題を解決するための手段】
上記目的を達成するため、請求項１に記載された発明は、中間転写体上に転写されたトナー像を、当該中間転写体の背面側に配置された背面支持部材と、前記背面支持部材と対向して中間転写体の表面に圧接する転写部材との間に形成される転写電界によって、背面側支持部材と転写部材との転写部に搬送される記録媒体上に転写する転写装置において、
前記転写部材の背面支持部材に対する圧接幅（食い込み量）を調整する圧接幅調整手段を設け、
前記圧接幅調整手段は、前記転写部材を前記背面支持部材に対して接離する方向に移動させるとともに、当該転写部材の両端部を個別に前記背面支持部材に対して接離する方向に移動させ、且つ前記背面支持部材を前記転写部材に対して接離する方向に移動させるとともに、当該背面支持部材の両端部を個別に前記転写部材に対して接離する方向に移動させことにより、前記転写部材の背面支持部材に対する圧接幅を調整することを特徴とする転写装置である。ここで、中間転写体としては、例えば、ベルト状の中間転写体が用いられる。
【０００９】
さらに、請求項２に記載された発明は、前記圧接幅調整手段が、転写部に搬送される記録媒体の種類及び／又は環境に応じて、前記転写部材の背面支持部材に対する圧接幅を調整することを特徴とする請求項１又は２記載の転写装置である。ここで、記録媒体の種類とは、用紙の坪量やサイズなどをいい、環境とは温度や湿度を意味する。なお、圧接幅調整手段が調整する転写部材の背面支持部材に対する圧接幅は、記録媒体の種類や環境によらずに、ユーザーがコントロールパネル等から任意の値に設定可能に構成してもよい。
【００１０】
【作用】
この発明においては、転写部材の背面支持部材に対する圧接幅を調整する圧接幅調整手段を設けるように構成したので、転写部材が背面支持部材に圧接する圧接幅を、圧接幅調整手段によって調整することにより、転写部での画像の傾きの調整幅が大幅に広がり、常に安定した状態で画像を転写することが可能となる。
【００１１】
【発明の実施の形態】
以下に、この発明の実施の形態について図面を参照して説明する。
【００１２】
実施の形態１
図２はこの発明の実施の形態１に係る画像形成装置としてのタンデム型のカラー電子写真複写機を示す概略構成図である。なお、このタンデム型のカラー電子写真複写機は、画像読取装置を備えているが、画像形成装置としては、画像読取装置を備えずに、図示しないパーソナルコンピュータ等から出力される画像データに基づいて画像を形成するカラープリンターやファクシミリ等であっても勿論よい。
【００１３】
図２において、１はタンデム型のカラー電子写真複写機の本体を示すものであり、このカラー電子写真複写機本体１は、その一端側の上部に、原稿２の画像を読み取る画像読取装置（ＩＩＴ：Ｉｍａｇｅ  Ｉｎｐｕｔ  Ｔｅｒｍｉｎａｌ）４を備えているとともに、当該カラー電子写真複写機本体１の内部には、画像読取装置４や図示しないパーソナルコンピュータ等から出力される画像データ、あるいは電話回線やＬＡＮ等を介して送られてくる画像データに、所定の画像処理を施す画像処理装置（ＩＰＳ：Ｉｍａｇｅ  Ｐｒｏｃｅｓｓｉｎｇ  Ｓｙｓｔｅｍ）１２と、当該画像処理装置１２で所定の画像処理が施された画像データに基づいて画像を出力する画像出力装置（ＩＯＴ：Ｉｍａｇｅ  Ｏｕｔｐｕｔ  Ｔｅｒｍｉｎａｌ）１００とが配設されている。
【００１４】
上記画像読取装置４では、プラテンカバー３によってプラテンガラス５上に押圧された原稿２や、図示しないＡＤＦによって自動的に搬送される原稿の画像が読み取られる。この画像読取装置４は、プラテンガラス５上に載置された原稿２を光源６によって照明し、原稿２からの反射光像を、フルレートミラー７及びハーフレートミラー８、９及び結像レンズ１０からなる縮小光学系を介してＣＣＤ等からなる画像読取素子１１上に走査露光して、この画像読取素子１１によって原稿２の色材反射光像を所定のドット密度（例えば、１６ドット／ｍｍ）で読み取るように構成されている。
【００１５】
上記画像読取装置４によって読み取られた原稿２の色材反射光像は、例えば、赤（Ｒ）、緑（Ｇ）、青（Ｂ）（各８ｂｉｔ）の３色の原稿反射率データとして画像処理装置１２に送られ、この画像処理装置１２では、原稿２の反射率データに対して、シェーデイング補正、位置ズレ補正、明度／色空間変換、ガンマ補  正、枠消し、色／移動編集等の所定の画像処理が施される。
【００１６】
そして、上記の如く画像処理装置１２で所定の画像処理が施された画像データは、イエロー（Ｙ）、マゼンタ（Ｍ）、シアン（Ｃ）、ブラック（Ｋ）（各８ｂｉｔ）の４色の原稿色材階調データ（ラスタデータ）に変換され、次に述べるように、イエロー（Ｙ）、マゼンタ（Ｍ）、シアン（Ｃ）、ブラック（Ｋ）の各色の画像形成ユニット１３Ｙ、１３Ｍ、１３Ｃ、１３Ｋのレーザー書き込み装置１４Ｙ、１４Ｍ、１４Ｃ、１４Ｋに送られ、これらのレーザー書き込み装置１４  Ｙ、１４Ｍ、１４Ｃ、１４Ｋでは、所定の色の原稿色材階調データに応じてレーザー光ＬＢによる画像露光が行われる。
【００１７】
ところで、上記タンデム型のカラー電子写真複写機本体１の内部には、上述したように、イエロー（Ｙ）、マゼンタ（Ｍ）、シアン（Ｃ）、ブラック（Ｋ）の４つの画像形成ユニット１３Ｙ、１３Ｍ、１３Ｃ、１３Ｋが、水平方向に一定の間隔をおいて並列的に配置されている。
【００１８】
これらの４つの画像形成ユニット１３Ｙ、１３Ｍ、１３Ｃ、１３Ｋは、すべて同様に構成されており、大別して、矢印Ａ方向に沿って所定の速度で回転駆動される像担持体としての感光体ドラム１５と、この感光体ドラム１５の表面を一様に帯電する帯電手段としての一次帯電用のスコロトロン１６と、当該感光体ドラム１５の表面に各色の画像情報に応じたレーザービームを走査露光して静電潜像を形成するレーザー書き込み装置１４と、感光体ドラム１５上に形成された静電潜像を現像する現像装置１７、クリーニング装置１８等からなる作像装置（作像手段）によって構成されている。
【００１９】
上記レーザー書き込み装置１４は、図２に示すように、半導体レーザー１９を原稿色材階調データに応じて変調して、この半導体レーザー１９からレーザー光ＬＢを階調データに応じて出射する。この半導体レーザー１９から出射されたレーザー光ＬＢは、反射ミラー２０、２１を介して回転多面鏡２２によって偏向走査され、再び反射ミラー２０、２１及び複数枚の反射ミラー２３、２４を介して像担持体としての感光体ドラム１５上に走査露光される。
【００２０】
上記画像処理装置１２からは、イエロー（Ｙ）、マゼンタ（Ｍ）、シアン    （Ｃ）、ブラック（Ｋ）の各色の画像形成ユニット１３Ｙ、１３Ｍ、１３Ｃ、１３Ｋのレーザー書き込み装置１４Ｙ、１４Ｍ、１４Ｃ、１４Ｋに各色の画像データ（ラスタデータ）が順次出力され、これらのレーザー書き込み装置１４Ｙ、１４Ｍ、１４Ｃ、１４Ｋから画像データに応じて出射されるレーザービームＬＢ  が、それぞれの感光体ドラム１５Ｙ、１５Ｍ、１５Ｃ、１５Ｋの表面に走査露光されて静電潜像が形成される。上記各感光体ドラム１５Ｙ、１５Ｍ、１５Ｃ、１５Ｋに形成された静電潜像は、対応する現像装置１７Ｙ、１７Ｍ、１７Ｃ、１７Ｋによって、それぞれイエロー（Ｙ）、マゼンタ（Ｍ）、シアン（Ｃ）、ブラック（Ｋ）の各色のトナー像として現像される。
【００２１】
上記各画像形成ユニット１３Ｙ、１３Ｍ、１３Ｃ、１３Ｋの感光体ドラム１５Ｙ、１５Ｍ、１５Ｃ、１５Ｋ上に、順次形成されたイエロー（Ｙ）、マゼンタ  （Ｍ）、シアン（Ｃ）、ブラック（Ｋ）の各色の未定着トナー像は、当該感光体ドラム１５Ｙ、１５Ｍ、１５Ｃ、１５Ｋと中間転写体としての中間転写ベルト２５とが接する一次転写位置において、中間転写ベルト２５の表面に互いに重ね合わされた状態で順次転写される。この一次転写位置における中間転写ベルト２５の裏面側には、転写部材としての半導電性のバイアスロール２６Ｙ、２６Ｍ、２６Ｃ、２６Ｋが配設されており、これらのバイアスロール２６Ｙ、２６Ｍ、２６Ｃ、２６Ｋによって中間転写ベルト２５が感光体ドラム１５Ｙ、１５Ｍ、１５Ｃ、１５Ｋの表面に当接するようになっている。上記一次転写用のバイアスロール２６Ｙ、２６Ｍ、２６Ｃ、２６Ｋには、トナーの帯電極性と逆極性の電圧が印加されており、感光体ドラム１５Ｙ、１５Ｍ、１５Ｃ、１５Ｋ上に形成された各色の未定着トナー像は、それぞれ中間転写ベルト２５上に順次静電的に吸引され、フルカラーの画像が形成される。
【００２２】
上記中間転写ベルト２５は、駆動ロール２７と、従動ロール２８と、テンションロール２９と、従動ロール３０と、二次転写用の対向ロール（以下、「バックアップロール」と称する。）３１と、アイドルロール３２との間に、一定のテンションで張架されており、図示しない定速性に優れた専用の駆動モーターによって回転駆動される駆動ロール２７により、矢印Ｂ方向に所定の速度で循環駆動されるようになっている。
【００２３】
なお、単色の画像を形成する場合には、所望の色の画像形成ユニット１３Ｙ、１３Ｍ、１３Ｃ、１３Ｋのみを動作させ、中間転写ベルト上に所望の単色の未定着トナー像が形成される。
【００２４】
このようにして、上記中間転写ベルト２５上に多重に一次転写されたイエロー（Ｙ）、マゼンタ（Ｍ）、シアン（Ｃ）、ブラック（Ｋ）の各色の未定着トナー像は、中間転写ベルト２５の回動に伴って記録用紙３４（記録媒体）の搬送経路に面した二次転写位置へと搬送され、この二次転写位置において、中間転写ベルト２５から記録用紙３４に未定着トナー像が二次転写される。記録用紙３４は、プリント用紙トレイ３９、４０、４１のいずれかからフィードローラ４２によって給紙され、複数の搬送ローラ４３、４４を備えた用紙搬送路４６によってレジストローラ４７まで搬送されて一旦停止される。次に、上記記録用紙３４は、レジストローラ４７によって所定のタイミングで搬送され、二次転写用の二次転写バイアスロール３３と中間転写ベルト２５との間に挟み込まれる。また、二次転写位置における中間転写ベルト２５の裏面側には、前記二次転写バイアスロール３３の対向をなすバックアップロール３１と、当該バックアップロール３１に当接する図示しない金属ロールが配設されている。上記二次転写位置では、前記金属ロールにトナーの帯電極性と同極性の電圧（正規の転写バイアス）を印加することにより、前記二次転写バイアスロール３３が対向電極として転写電界を形成させ、中間転写ベルト２５上に担持された未定着トナー像は、前記二次転写位置において記録用紙３４に静電転写される。なお、上記二次転写用の二次転写バイアスロール３３は、図示しないブラシロールによって清掃されるようになっている。
【００２５】
そして、未定着トナー像が転写された記録用紙３４は、中間転写ベルト２５から剥離された後、２連の転写材搬送手段としての用紙搬送ベルト３５、３６によって定着装置３７に送り込まれ、未定着トナー像の定着処理がなされ、装置本体１の外部に設けられた排出トレイ３８上に排出される。上記用紙搬送ベルト３５、３６は、駆動ローラ３５ａと従動ローラ３５ｂとの間に張架された無端状のゴムベルト３５ｃから構成されており、１つの用紙搬送ベルトでゴムベルトが５本並列に張架されている。
【００２６】
なお、未定着トナー像の二次転写が終了した中間転写ベルト２５は、図２に示すように、二次転写部の下流に位置するベルトクリーナ４８によって残留トナーが除去されるようになっている。
【００２７】
ところで、この実施の形態１では、中間転写体上に転写されたトナー像を、当該中間転写体の背面側に配置された背面支持部材と、前記背面支持部材と対向して中間転写体の表面に圧接する転写部材との間に形成される転写電界によって、背面側支持部材と転写部材との転写部に搬送される記録媒体上に転写する転写装置において、前記転写部材の背面支持部材に対する圧接幅（食い込み量）を調整する圧接幅調整手段を設けるように構成されている。
【００２８】
また、この実施の形態では、前記圧接幅調整手段が、転写部材と背面支持部材の両方の位置を調整するように構成されている。
【００２９】
さらに、この実施の形態では、前記圧接幅調整手段が、転写部に搬送される記録媒体の種類に応じて、前記転写部材の背面支持部材に対する圧接幅を調整するように構成されている。
【００３０】
図３はこの発明の実施の形態１に係る転写装置の二次転写バイアスロールとバックアップロールの概略構成図を示すものである。
【００３１】
二次転写バイアスロール３３は、図３に示すように、二次転写バイアスロールユニット５０に回転自在に取り付けられているとともに、バックアップロールは、バックアップロールユニット５１に回転自在に取り付けられいる。これら二次転写バイアスロールユニット５０とバックアップロールユニット５１とは、当該バックアップロールユニット５１に設けられた位置決めピン５２と、この位置決めピン５２に係合するように二次転写バイアスロール５０に設けられた凹所５３によって、相対的に位置決めされるようになっている。
【００３２】
上記二次転写バイアスロールは、図１及び図４に示すように、その両端部が揺動アーム５４にそれぞれ回転自在に取り付けられている。また、上記揺動アーム５４は、支点５５を中心にして揺動自在に、二次転写バイアスロールユニット５０に取り付けられている。さらに、上記各揺動アーム５４の先端部５４ａの下方には、第１の偏芯カム５６、５７が配設されており、当該第１の偏芯カム５６、５７は、回転シャフト５８に固定した状態で取り付けられているとともに、回転シャフト５８は、その一端部に設けられた駆動ギア５９によって回転駆動されるようになっている。尚、上記回転シャフト５８には、第１の偏芯カム５６、５７の基準位置及び回転量を検知するためのエンコーダ６０が取り付けられている。また、上記各揺動アーム５４は、コイルスプリング６１によって、その先端部５４ａが第１の偏芯カム５６、５７に圧接するように付勢されている。そして、上記二次転写バイアスロール３３は、第１の偏芯カム５６、５７を回動させて、当該第１の偏芯カム５６、５７に圧接する揺動アーム５４の角度を変化させることにより、バックアップロール３１に対するニップ幅（圧接量）を調節することが可能となっている。
【００３３】
その際、上記第１の偏芯カム５６、５７は、その周方向に沿ってそれぞれ３つの領域に分けられている。即ち、この第１の偏芯カム５６、５７は、図５（ａ）に示すように、二次転写バイアスロール３３を、バックアップロール３１と接離する方向に平行に移動させる領域と、図５（ｂ）に示すように、二次転写バイアスロール３３の一端３３ａのみを、バックアップロール３１と接離する方向に移動させる領域と、図５（ｃ）に示すように、二次転写バイアスロール３３の他端３３ｂのみを、バックアップロール３１と接離する方向に移動させる領域とを備えるように構成されている。なお、上記第１の偏芯カム５６、５７は、これら３つの領域を必ずしも備えている必要はなく、３つの領域のつち、１つ又は２つの領域を備えていてもよい。
【００３４】
一方、上記バックアップロール３１は、上述したように、バックアップロールユニット５１に回転自在に固定した状態で取り付けられており、このバックアップロールユニット５１は、図６及び図７に示すように、フロント側のフレーム６２とリア側のフレーム６３とを備えている。上記フロント側及びリア側フレーム６２、６３の上部には、第２の偏芯カム６４、６５がそれぞれ配置されており、これら第２の偏芯カム６４、６５は、回転シャフト６６に固定した状態で取り付けられている。また、上記回転シャフト６６は、当該回転シャフト６６に取り付けられたギア６７を介して、当該ギア６７に噛み合う駆動ギア６８を備えた駆動モータ６９によって回転駆動されるようになっている。尚、上記回転シャフト６６には、第２の偏芯カム６４、６５の基準位置及び回転量を検知するためのエンコーダ７０が取り付けられている。さらに、上記フロント側及びリア側のフレーム６２、６３は、その上端部に取り付けられたコイルスプリング７１によって上方に付勢されており、第２の偏芯カム６４、６５は、図８に示すように、フロント側及びリア側フレーム６２、６３の上部外側面に回転自在に取り付けられたロール７２に圧接されている。そして、上記第２の偏芯カム６４、６５を駆動モータ６９によって回転させることにより、フロント側及びリア側フレーム６２、６３を備えたバックアップロールユニット５１を移動可能となっている。
【００３５】
その際、上記第２の偏芯カム６４、６５は、その周方向に沿ってそれぞれ３つの領域に分けられており、上述したように、フロント側及びリア側フレーム６２、６３を備えたバックアップロールユニット５１を移動させることによって、結果的に、当該バックアップロールユニット５１に回転自在に取り付けられたバックアップロール３１を移動可能となっている。即ち、この第２の偏芯カム６４、６５は、図９（ａ）に示すように、バックアップロール３１を、二次転写バイアスロール３３と接離する方向に平行に移動させる領域と、図９（ｂ）に示すように、バックアップロール３１の一端３１ａのみを、二次転写バイアスロール３３と接離する方向に移動させる領域と、図９（ｃ）に示すように、バックアップロール３１の他端３１ｂのみを、二次転写バイアスロール３３と接離する方向に移動させる領域とを備えるように構成されている。なお、上記第２の偏芯カム６４、６５は、これら３つの領域を必ずしも備えている必要はなく、３つの領域のつち、１つ又は２つの領域を備えていてもよい。
【００３６】
また、図１に示すように、二次転写バイアスロール３３と、位置決めピン５２と、バックアップロール３１と、第２の偏芯カム６４、６５の回転シャフト６６とは、これらの中心が略直線Ｌ上に配設されており、二次転写バイアスロール３３とバックアップロール３１が移動する方向と、二次転写バイアスロールユニット５０とバックアップロールユニット５１が移動する方向とが、略１つの直線上に位置するように構成されている。
【００３７】
以上の構成において、この実施の形態に係る転写装置を備えた画像形成装置では、次のようにして、中間転写体を使用した画像形成装置において、転写部での画像の傾きを調整する際、従来調整しきれない部分を補い、調整幅を大きくとることができ、記録媒体の種類が異なった場合でも、常に画像の傾きを調整することが可能となっている。
【００３８】
すなわち、この実施の形態に係る転写装置を備えた画像形成装置では、図１及び図３〜９に示すように、二次転写バイアスロール３３とバックアップロール３１の両方の端部両側を調整可能に構成し、二次転写バイアスロール３３のニップ幅（食い込み量）を変えることができるため、二次転写部での画像の傾きの調整幅が大幅に広がり、容易に調整できるようになっている。
【００３９】
また、二次転写ロールユニット５０、及びバックアップロールユニット５１は、ノミナルの基準位置がわかるように構成しており、ここでは偏芯カム５６、５７及び６４、６５を使用し、ユニット交換時にも簡単にノミナル状態（基準位置）に戻せるようになっている。
【００４０】
【発明の効果】
以上説明したように、この発明によれば、中間転写体を使用した画像形成装置において、転写部での画像の傾きを調整する際、従来調整しきれない部分を補い、調整幅を大きくとることができ、記録媒体の種類が異なった場合でも、常に画像の傾きを調整することが可能な転写装置を提供することができる。
【図面の簡単な説明】
【図１】  図１はこの発明の実施の形態１に係る転写装置を示す構成図である。
【図２】  図２はこの発明の実施の形態１に係る転写装置を適用した画像形成装置を示す構成図である。
【図３】  図３はこの発明の実施の形態１に係る転写装置を示す要部の正面構成図である。
【図４】  図４はこの発明の実施の形態１に係る転写装置を示す要部の正面構成図である。
【図５】  図５はこの発明の実施の形態１に係る転写装置の動作を示す説明図である。
【図６】  図６はこの発明の実施の形態１に係る転写装置の要部を示す斜視図である。
【図７】  図７はこの発明の実施の形態１に係る転写装置の要部を示す斜視図である。
【図８】  図８はこの発明の実施の形態１に係る転写装置の要部を示す正面図である。
【図９】  図９はこの発明の実施の形態１に係る転写装置の動作を示す説明図である。
【符号の説明】
３１：バックアップロール、３３：二次転写バイアスロール、５０：二次転写バイアスロールユニット、５１：バックアップロールユニット、５２：位置決めピン、５３：凹所、５４：揺動アーム、５６、５７：第１の偏芯カム（圧接幅調整手段）、６２、６３：フロント側及びリア側のフレーム、６４、６５：第２の偏芯カム。
【図１】
0004048733.tif 000002
【図２】
0004048733.tif 000003
【図３】
0004048733.tif 000004
【図４】
0004048733.tif 000005
【図５】
0004048733.tif 000006
【図６】
0004048733.tif 000007
【図７】
0004048733.tif 000008
【図８】
0004048733.tif 000009
【図９】
0004048733.tif 000010